(57)【要約】      （修正有）【課題】施工時間を短縮することの可能な高圧受電設備を提供する。【解決手段】高圧受電設備２０は、灯動変圧器７０を内部に収容する灯動変圧器盤６０と、灯動変圧器盤６０の底面に取り外し可能に組み付けられ、床面に固定されるチャンネルベース１１０とを備える。また設置方法は、設置場所の床面にチャンネルベース１１０を固定するステップと、各盤をチャンネルベース１１０に取り付けて固定するステップとを備える。【選択図】図２
2019068496.tif 000002
【特許請求の範囲】
【請求項１】
電気機器を内部に収容する電気機器盤と、
前記電気機器盤の底面に取り外し可能に組み付けられ、床面に固定されるチャンネルベースと、を備える
高圧受電設備。
【請求項２】
前記チャンネルベースは、
アンカーボルトが挿入される挿入孔を有する
請求項１に記載の高圧受電設備。
【請求項３】
前記チャンネルベースは、
四角枠状に形成される外枠部と、
前記外枠部の内周に設けられ、前記挿入孔が形成される突出部と、を有する
請求項２に記載の高圧受電設備。
【請求項４】
前記突出部は、
前記外枠部の内周の四隅にそれぞれ形成されている
請求項３に記載の高圧受電設備。
【請求項５】
前記電気機器盤は、
高圧受電盤、高圧コンデンサ盤、電灯変圧器盤、動力変圧器盤、及び灯動変圧器盤のうちのいずれか一つである
請求項１〜４のいずれか一項に記載の高圧受電設備。
【請求項６】
高圧受電設備の設置場所の床面にチャンネルベースを固定するステップと、
電気機器を内部に収容する電気機器盤を前記チャンネルベースに取り付けて固定するステップと、を備える
高圧受電設備の設置方法。
【発明の詳細な説明】
【技術分野】
【０００１】
本開示は、高圧受電設備及び高圧受電設備の設置方法に関する。
【背景技術】
【０００２】
従来、特許文献１に記載の受電設備がある。特許文献１に記載の受電設備は、開閉器と、コンデンサと、電灯変圧器と、動力変圧器とを備えている。コンデンサ、電灯変圧器、及び動力変圧器には、開閉器を介して電力が供給される。コンデンサ、電灯変圧器、及び動力変圧器は、互いに並列に接続されている。コンデンサは、電灯変圧器、及び動力変圧器のそれぞれの高圧側に供給される電力の力率を改善する。
【先行技術文献】
【特許文献】
【０００３】
【特許文献１】特開２００８−２８３８２０号公報
【発明の概要】
【発明が解決しようとする課題】
【０００４】
特許文献１に記載されるような高圧受電設備では、需要者の要望に合わせて、変圧器等の要素の種類や数を適宜変更することが可能である。例えば図７に示される高圧受電設備２００のように、１つの断路器２０１と、１つの高圧コンデンサ２０２と、２つの電灯変圧器２０３，２０４と、１つの動力変圧器２０５とを備える構造を採用することも可能である。このような高圧受電設備２００によれば、２つの電灯負荷、及び１つの動力負荷に電力を供給することが可能である。
【０００５】
一方、図７に示される高圧受電設備２００が電気室２１０等の屋内に設けられている場合、その入れ替えの際に、特に一括受電契約を伴う工事では、断路器２０１に代えて高圧受電盤を設ける必要がある。したがって、高圧受電盤を配置するためのスペースを電気室２１０内に新たに確保する必要がある。このような場合、例えば図７に示されるような高圧受電設備２００では、１つの電灯変圧器２０４と１つの動力変圧器２０５とに代えて、それらの機能を併せ持つ灯動変圧器を用いることにより１つの機器の分のスペースを確保した上で、そのスペースに高圧受電盤を設置するといった対応を取ることが考えられる。
【０００６】
ところで、灯動変圧器盤や高圧受電盤等の電気機器盤を電気室２１０内に設置する際には、電気機器盤のアンカー施工を行う前に、電気機器盤の設置位置の基準線を電気室２１０内の床面等に記す、いわゆる墨出し作業を行う必要があるため、多くの施工時間を要する。また、電気機器盤を電気室２１０内に実際に設置する際には、電気室２１０内の床面の水平を確認した上で、電気機器盤の水平を取る作業等も必要となる。これも施工時間の長時間化を招く要因となっている。
【０００７】
なお、このような課題は、高圧受電設備の電気機器盤を入れ替える場合だけでなく、電気室内に新規に高圧受電設備を設置する場合にも同様に生じ得る。
本開示は、こうした実情に鑑みてなされたものであり、その目的は、施工時間を短縮することの可能な高圧受電設備、及び高圧受電設備の設置方法を提供することにある。
【課題を解決するための手段】
【０００８】
上記課題を解決する高圧受電設備は、電気機器を内部に収容する電気機器盤と、電気機器盤の底面に取り外し可能に組み付けられ、床面に固定されるチャンネルベースと、を備える。
また、上記課題を解決する高圧受電設備の設置方法は、高圧受電設備の設置場所の床面にチャンネルベースを固定するステップと、電気機器を内部に収容する電気機器盤をチャンネルベースに取り付けて固定するステップと、を備える。
【０００９】
上記構成及び方法によれば、チャンネルベースを床面に固定した後、このチャンネルベースに電気機器盤を組み付けることにより、電気機器盤の設置が完了する。この際、チャンネルベースを事前に設置することにより、電気機器盤の設置位置を定めることができるため、墨出し作業と同等の作業を事前に行うことができる。よって、施工時間を短縮することができる。また、チャンネルベースの水平出しの作業を事前に行うことにより、チャンネルベースに電気機器盤を組み付けた際に、電気機器盤を水平に設置することができる。これにより、電気機器盤の設置と共に水平出しの作業を行う場合と比較すると、施工時間を短縮することができる。
【００１０】
上記の高圧受電設備において、チャンネルベースは、アンカーボルトが挿入される挿入孔を有することが望ましい。
この構成によれば、挿入孔に挿入されるアンカーボルトによりチャンネルベースを確実に床面に固定することができるため、結果的に電気機器盤を確実に固定することができる。よって、施工品質を向上させることができる。
【００１１】
上記の高圧受電設備において、チャンネルベースは、四角枠状に形成される外枠部と、外枠部の内周に設けられ、挿入孔が形成される突出部と、を有することが望ましい。
この構成によれば、挿入孔の形成される突出部をチャンネルベースに設けつつも、その突出部が外枠部の外周部分から飛び出すことがないため、設置スペースを小さくすることができる。
【００１２】
上記の高圧受電設備において、突出部は、外枠部の内周の四隅にそれぞれ形成されていることが望ましい。
この構成によれば、より確実にチャンネルベースを床面に固定することができるため、施工品質を更に向上させることができる。
【００１３】
上記の高圧受電設備において、電気機器盤は、高圧受電盤、高圧コンデンサ盤、電灯変圧器盤、動力変圧器盤、及び灯動変圧器盤のうちのいずれか一つであることが望ましい。
この構成のように、電気機器盤として高圧受電盤、高圧コンデンサ盤、電灯変圧器盤、動力変圧器盤、及び灯動変圧器盤のいずれか一つが用いられる場合には、高圧受電設備の入れ替え作業が発生する可能性があるため、上記のような施工時間を短縮することの可能な構成を採用することが特に有効である。
【発明の効果】
【００１４】
本開示によれば、施工時間を短縮することの可能な高圧受電設備、及び高圧受電設備の設置方法を提供できる。
【図面の簡単な説明】
【００１５】
【図１】図１は、実施形態の高圧受電設備の概略構成を示すブロック図である。
【図２】図２は、実施形態の灯動変圧器盤及びチャンネルベースの斜視構造を示す斜視図である。
【図３】図３は、実施形態の灯動変圧器盤及びチャンネルベースの正面構造を示す正面図である。
【図４】図４は、実施形態の灯動変圧器盤及びチャンネルベースの側面構造を示す正面図である。
【図５】図５は、実施形態のチャンネルベースの斜視構造を示す斜視図である。
【図６】図６は、実施形態のチャンネルベースの斜視構造を示す斜視図である。
【図７】図７は、参考例の高圧受電設備の概略構成を示すブロック図である。
【発明を実施するための形態】
【００１６】
以下、高圧受電設備及び高圧受電設備の設置方法の一実施形態について図面を参照しながら説明する。説明の理解を容易にするため、各図面において同一の構成要素に対しては可能な限り同一の符号を付して、重複する説明は省略する。はじめに、図１を参照して、本実施形態の高圧受電設備の概要について説明する。
【００１７】
図１に示されるように、高圧受電設備２０は、例えばオフィスビルやマンションに設けられる電気室１０内に設置されている。高圧受電設備２０は、電力会社等から供給される高圧の電力を、需要家の負荷設備の仕様にあった電圧や周波数に変換する。高圧受電設備２０は、高圧受電盤３０と、高圧コンデンサ盤４０と、電灯変圧器盤５０と、灯動変圧器盤６０とを備えている。
【００１８】
高圧受電盤３０は、電力系統から高圧配線１１を介して供給される高圧の交流電力を受電するとともに、受電した高圧の交流電力を高圧母線３１ｒ，３１ｓ，３１ｔを介して高圧コンデンサ盤４０、電灯変圧器盤５０、及び灯動変圧器盤６０に供給する。高圧コンデンサ盤４０，電灯変圧器盤５０、及び灯動変圧器盤６０は、高圧受電盤３０に対して電気的に並列に接続されている。高圧受電盤３０は、例えば高圧コンデンサ盤４０、電灯変圧器盤５０、及び灯動変圧器盤６０への電力の供給及び遮断を切り替えることが可能となっている。高圧受電盤３０は、通常は高圧コンデンサ盤４０、電灯変圧器盤５０、及び灯動変圧器盤６０に電力を供給しているが、例えば何らかの異常が発生したような場合に、それらへの電力の供給を遮断する。
【００１９】
高圧コンデンサ盤４０は、開閉器からなる高圧カットアウト４１ｒ，４１ｓ，４１ｔ、及び高圧配線４２ｒ，４２ｓ，４２ｔを介して高圧母線３１ｒ，３１ｓ，３１ｔに電気的に接続されている。高圧コンデンサ盤４０は、遅れ無効電力を吸収することにより力率を改善する。
【００２０】
電灯変圧器盤５０は、開閉器からなる高圧カットアウト５１ｒ，５１ｓ、及び高圧配線５２ｒ，５２ｓを介して高圧母線３１ｒ，３１ｓに電気的に接続されている。電灯変圧器盤５０は、いわゆる単相変圧器であり、高圧配線５２ｒ，５２ｓから供給される高圧の単相交流電力を低圧の単相交流電力に変換して出力する。
【００２１】
灯動変圧器盤６０は、開閉器からなる高圧カットアウト６１ｒ，６１ｓ，６１ｔ、及び高圧配線６２ｒ，６２ｓ，６２ｔを介して高圧母線３１ｒ，３１ｓ，３１ｔに電気的に接続されている。灯動変圧器盤６０は、高圧配線６２ｒ，６２ｓ，６２ｔから供給される高圧の三相交流を、単相負荷に供給可能な低圧の単相交流電力、及び三相負荷に供給可能な低圧の三相交流電力に変換して出力する。
【００２２】
このように、本実施形態の高圧受電設備２０は、電灯変圧器盤５０及び灯動変圧器盤６０により２つの単相負荷に電力を供給することが可能であるとともに、灯動変圧器盤６０により１つの三相負荷に電力を供給することが可能となっている。
次に、図２〜図４を参照して、灯動変圧器盤６０の構造について詳しく説明する。
【００２３】
図２に示されるように、灯動変圧器盤６０は、灯動変圧器７０と、４つの低圧端子台８０〜８３と、収容部材９０と、２つの電圧計１００，１０１とを備えている。本実施形態では、灯動変圧器盤６０が電気機器盤に相当する。
灯動変圧器７０の上面７１には、３つの一次側端子７２０〜７２２と、４つの二次側端子７３０〜７３３とが設けられている。３つの一次側端子７２０〜７２２には、図１に示される高圧配線６２ｒ，６２ｓ，６２ｔがそれぞれ接続される。すなわち、一次側端子７２０〜７２２には、高圧配線６２ｒ，６２ｓ，６２ｔを介して高圧の三相交流が供給される。灯動変圧器７０は、一次側端子７２０〜７２２に供給される高圧の三相交流を低圧の単相交流電力及び低圧の三相交流電力に変換して二次側端子７３０〜７３３から出力する。図３及び図４に示されるように、灯動変圧器７０の底部には、互いに平行に配置されるＬ字状の一対の足部７４，７５が設けられている。
【００２４】
図２に示されるように、収容部材９０は、灯動変圧器７０を内部に収容するとともに、灯動変圧器７０及び低圧端子台８０〜８３が一体的に組み付けられている。収容部材９０は、外枠部９１と、変圧器取付部９２と、端子取付部９３と、電圧計取付部９４とを備えている。収容部材９０は、金属により形成されている。
【００２５】
外枠部９１は、直方体の枠状に形成されている。外枠部９１は、灯動変圧器７０よりも大きく形成されており、その内部に灯動変圧器７０を収容可能となっている。外枠部９１の上面の四隅には、ワイヤ等の盤を吊り上げるための道具を連結することの可能な連結部９５がそれぞれ形成されている。
【００２６】
変圧器取付部９２は、外枠部９１の底面に設けられている。変圧器取付部９２は、互いに平行に配置される一対の梁部材９２０，９２１からなる。一方の梁部材９２０には、防振部材１２０を介して灯動変圧器７０の一方の足部７４が取り付けられるとともに、他方の梁部材９２１には、防振部材１２１を介して灯動変圧器７０の他方の足部７５が取り付けられている。これらの防振部材１２０，１２１により、収容部材９０から灯動変圧器７０に伝達される振動を抑制することが可能となっている。
【００２７】
端子取付部９３は、外枠部９１の前面の略中央に設けられている。端子取付部９３は、外枠部９１の前面を横切るように配置される長板状の部材からなる。端子取付部９３には、４つの低圧端子台８０〜８３が長手方向に所定の間隔を有して並ぶように取り付けられている。端子取付部９３には、各低圧端子台８０〜８３を覆うようにカバー９３０〜９３３が設けられている。
【００２８】
電圧計取付部９４は、端子取付部９３の上方に設けられている。電圧計取付部９４は、外枠部９１の前面における端子取付部９３の上方の部分を覆うように設けられる平板状の部材からなる。電圧計取付部９４には、電圧計１００，１０１が取り付けられている。電圧計１００，１０１は、灯動変圧器７０により単相負荷に供給可能な単相交流電圧、及び三相負荷に供給可能な三相交流電圧をそれぞれ計測するとともに、計測された電圧を視認可能に表示する。
【００２９】
図２〜図４に示されるように、低圧端子台８０〜８３には、低圧配線７４０〜７４３を介して灯動変圧器７０の二次側端子７３０〜７３３がそれぞれ電気的に接続されている。したがって、灯動変圧器７０により変換された低圧の単相交流電力及び低圧の三相交流電力は、低圧配線７４０〜７４３を介して４つの低圧端子台８０〜８３に供給されている。よって、４つの低圧端子台８０〜８３のうち、２つの低圧端子台に配線を介して単相負荷を電気的に接続することにより、単相負荷への電力の供給が可能となる。また、３つの低圧端子台に配線を介して三相負荷を電気的に接続することにより、三相負荷への電力の供給も可能となる。
【００３０】
図１〜図４に示されるように、高圧受電設備２０は、灯動変圧器盤６０の底面に取り付けられるチャンネルベース１１０を更に有している。チャンネルベース１１０は、金属により形成されている。図５に示されるように、チャンネルベース１１０は、外枠部１１１と、突出部１１２ａ〜１１２ｄとを有している。
【００３１】
外枠部１１１は、四角枠状に形成されている。外枠部１１１には、ボルトが挿入される複数の挿入孔１１４ａ〜１１４ｄが形成されている。チャンネルベース１１０に灯動変圧器盤６０が組み付けられた際、挿入孔１１４ａ〜１１４ｄは、灯動変圧器盤６０の収容部材９０に形成された挿入孔と同軸上に配置される。外枠部１１１の挿入孔１１４ａ〜１１４ｄ及び収容部材９０の挿入孔にボルトを挿入した上で、このボルトにナットを締め付けることにより、外枠部１１１に対して収容部材９０が締結されている。この締結構造により収容部材９０がチャンネルベース１１０に固定されている。
【００３２】
図６に示されるように、突出部１１２ａ〜１１２ｄは、外枠部１１１の内周の四隅にそれぞれ形成されている。突出部１１２ａ〜１１２ｄには、アンカーボルトが挿入される挿入孔１１３ａ〜１１３ｄがそれぞれ形成されている。挿入孔１１３ａ〜１１３ｄに挿入されたアンカーボルトが電気室１０内の床面に打ち込まれることにより、チャンネルベース１１０が床面に固定される。
【００３３】
次に、本実施形態の高圧受電設備２０の設置方法について説明する。
例えば図７に示されるような高圧受電設備２００の配置を図１の配置に変更する場合、まず、電灯変圧器２０３及び動力変圧器２０５を取り除くことにより２つの機器に相当するスペースを確保する。そして、一方の機器のスペースに高圧受電盤３０を設置した上で、他方の機器のスペースに本実施形態の灯動変圧器盤６０を配置する。
【００３４】
その際、まず、電気室１０内の灯動変圧器盤６０の設置予定のスペースにチャンネルベース１１０を事前に配置した上で、チャンネルベース１１０の水平出しの作業を行う。水平出しの作業では、チャンネルベース１１０が水平に設置されているか否かを水平器等により確認した上で、仮にチャンネルベース１１０が水平に設置されていない場合には、チャンネルベース１１０と床面との間にスペーサ等を挟み込むことにより、チャンネルベース１１０を水平に配置する。その後、チャンネルベース１１０の挿入孔１１３ａ〜１１３ｄにアンカーボルトを挿入して電気室１０内の床面に打ち付けることにより、高圧受電設備２０の設置場所の床面にチャンネルベース１１０を固定する。そして、この床面に固定されたチャンネルベース１１０に灯動変圧器盤６０を取り付けて固定する。
【００３５】
具体的には、灯動変圧器盤６０の連結部９５に、ワイヤ等の盤を吊り上げるための道具を連結した後、この道具を介して灯動変圧器盤６０をクレーン機器等で吊り上げることにより、灯動変圧器盤６０をチャンネルベース１１０の上面に設置する。その後、チャンネルベース１１０の挿入孔１１４ａ〜１１４ｄ及び灯動変圧器盤６０の挿入孔にボルトを挿入し、このボルトにナットを締め付けることにより、チャンネルベース１１０に灯動変圧器盤６０を固定する。これにより、灯動変圧器盤６０の設置が完了する。
【００３６】
以上説明した本実施形態の高圧受電設備２０及びその設置方法によれば、以下の（１）〜（４）に示される作用及び効果を得ることができる。
（１）チャンネルベース１１０を事前に設置することにより、灯動変圧器盤６０の設置位置を定めることができるため、墨出し作業と同等の作業を事前に行うことができる。よって、施工時間を短縮することができる。また、チャンネルベース１１０を床面に固定する前にチャンネルベース１１０の水平出しの作業を行うことにより、チャンネルベース１１０に灯動変圧器盤６０を組み付けた際に、灯動変圧器盤６０を水平に設置することができる。これにより、灯動変圧器盤６０の設置と共に水平出しの作業を行う場合と比較すると、施工時間を短縮することができる。
【００３７】
（２）チャンネルベース１１０は、アンカーボルトが挿入される挿入孔１１３ａ〜１１３ｄを有している。これにより、挿入孔１１３ａ〜１１３ｄに挿入されるアンカーボルトによりチャンネルベース１１０を床面に確実に固定することができるため、結果的に灯動変圧器盤６０を確実に固定することができる。よって、施工品質を向上させることができる。
【００３８】
（３）チャンネルベース１１０は、四角枠状に形成される外枠部１１１と、外枠部１１１の内周に設けられて挿入孔１１３ａ〜１１３ｄが形成される突出部１１２ａ〜１１２ｄとを有している。これにより、挿入孔１１３ａ〜１１３ｄの形成される突出部１１２ａ〜１１２ｄをチャンネルベース１１０に設けつつも、その突出部１１２ａ〜１１２ｄが外枠部１１１の外周部分から飛び出すことがないため、設置スペースを小さくすることが可能となる。
【００３９】
（４）突出部１１２ａ〜１１２ｄは、外枠部１１１の内周の四隅にそれぞれ形成されている。これにより、より確実にチャンネルベース１１０を床面に固定することができるため、施工品質を更に向上させることができる。
なお、上記実施形態は、以下の形態にて実施することもできる。
【００４０】
・チャンネルベース１１０の突出部１１２ａ〜１１２ｄの位置や数は適宜変更可能である。例えば、チャンネルベース１１０の突出部１１２ａ〜１１２ｄは、外枠部１１１の内周の四隅ではなく、外枠部１１１の内周のうち、四隅からずれた位置に設けられていてもよい。また、例えばチャンネルベース１１０の外枠部１１１の外周に突出部が形成されていてもよい。すなわち、チャンネルベース１１０は、外枠部１１１の外周部分でアンカーボルトにより固定されるものであってもよい。
【００４１】
・収容部材９０の内部に収容される電気機器は、灯動変圧器７０に限らず、高圧受電機器、高圧コンデンサ、電灯変圧器、及び動力変圧器等であってもよい。すなわち、上記実施形態の灯動変圧器盤６０の構造は、高圧受電盤、高圧コンデンサ盤、電灯変圧器盤、及び動力変圧器盤のいずれの電気機器盤でも採用することが可能である。また、高圧受電設備２０には、高圧受電盤３０、高圧コンデンサ盤４０、電灯変圧器盤５０、及び灯動変圧器盤６０だけでなく、動力変圧器盤が更に設けられていてもよい。この場合、動力変圧器盤には、高圧受電盤３０から電力が供給されることになる。
【００４２】
・本開示は上記の具体例に限定されるものではない。上記の具体例に、当業者が適宜設計変更を加えたものも、本開示の特徴を備えている限り、本開示の範囲に包含される。前述した各具体例が備える各要素、及びその配置、条件、形状等は、例示したものに限定されるわけではなく適宜変更することができる。前述した各具体例が備える各要素は、技術的な矛盾が生じない限り、適宜組み合わせを変えることができる。
【符号の説明】
【００４３】
２０：高圧受電設備
６０：灯動変圧器盤（電気機器盤）
７０：灯動変圧器（電気機器）
１１０：チャンネルベース
１１１：外枠部
１１２ａ〜１１２ｄ：突出部
１１３ａ〜１１３ｄ：挿入孔
【図１】
2019068496.tif 000003
【図２】
2019068496.tif 000004
【図３】
2019068496.tif 000005
【図４】
2019068496.tif 000006
【図５】
2019068496.tif 000007
【図６】
2019068496.tif 000008
【図７】
2019068496.tif 000009